(57)【要約】【課題】      開口のチャックの歯の前の列を越えて伸長しているカバ−が形成されていてもスム−ズにチャックが開閉できるバックを提供することである。【解決手段】  バック１の上後周壁１ｄの上側と両側とチャック３を覆うようにカバ−４が後壁周縁部１ｂの前側に取り付けられ、カバ−４は柔軟性を有する合成樹脂のシ−トや織布で上面部４ａと左右側壁部４ｂ、４ｃとで形成され、後壁周縁部１ｂに取り付ける取付端部側ａの横の長さより、自由端部側ｂの横の長さが長く、全体形状は湾曲形状に形成され、カバ−４がバック１の後壁周縁部１ｂに取り付けられると、バック１の上後周壁１ｄの前側およびチャック３の両角部Ｂ、Ｂでカバ−４の両角部Ｃ、Ｃが浮き上がって外側に膨らむ膨出部４ｄ、４ｅが形成されて離間することになる。【選択図】        図１
2008245957.tif 000002
【特許請求の範囲】
【請求項１】
チャックで開閉する開口を有するバックにおいて、前記開口を覆うカバ−をバックの周縁部から延設したことを特徴とするバック。
【請求項２】
カバ−はバック周縁部の取付端部側の長さより自由端部側の長さの方が長く形成されていることを特徴とする請求項１記載のバック。
【請求項３】
カバ−は自由端部側に切欠きを設けると共に該切欠きを開いた状態に維持する保持部材を取り付けたことを特徴とする請求項１または２記載のバック。
【請求項４】
カバ−は外側に膨らむ膨出部を有することを特徴とする請求項１乃至３記載のバック。
【請求項５】
膨出部は角部に形成されていることを特徴とする請求項１乃至４記載のバック。
【発明の詳細な説明】
【技術分野】
【０００１】
本発明は、開口のチャックを覆うカバ−を有するバックに関する。
【背景技術】
【０００２】
従来特許文献１のように開口のチャックを覆うためにチャックの歯の上の列を越えて伸長している縁を形成したバックがある。
特許文献１のバックではカバ−がチャックに沿ってチャックの近傍に突設されているため、カバ−がチャックの歯の上を押えるように覆ってしまいチャックのスライダ−の動きが規制されてチャックの開閉に支障を来してスム−ズに開閉出来ない欠点がある。
【特許文献１】特開平９−２８５３３７号公報
【発明の開示】
【発明が解決しようとする課題】
【０００３】
解決しようとする問題点は、カバ−がチャックに沿ってチャックの近傍に突設されたバックでは、スライダ−の動きが規制されてチャックの開閉に支障を来してスム−ズに開閉出来ない欠点があることである。
【０００４】
本発明の目的は前記欠点に鑑み、開口のチャックの歯の前の列を越えて伸長しているカバ−が形成されていてもスム−ズにチャックが開閉できるバックを提供することである。
【課題を解決するための手段】
【０００５】
本発明の請求項１は、チャックで開閉する開口を有するバックにおいて、前記開口を覆うカバ−をバックの周縁部から延設したことを要旨とするものである。
本発明の請求項２は、カバ−はバック周縁部の取付端部側の長さより自由端部側の長さの方が長く形成されていることを要旨とするものである。
本発明の請求項３は、カバ−は自由端部側に切欠きを設けると共に該切欠きを開いた状態に維持する保持部材を取り付けたことを要旨とするものである。
本発明の請求項４は、カバ−は外側に膨らむ膨出部を有することを要旨とするものである。
本発明の請求項５は、膨出部は角部に形成されていることを要旨とするものである。
【発明の効果】
【０００６】
本発明により、カバ−によるスライダ−の動きに対する規制が緩和されるので、スム−ズにチャックのスライダ−が移動出来る。
【発明を実施するための最良の形態】
【０００７】
バック１は後壁１ａと前壁１ｆと前記両者間に設けた周壁Ｓを有し、この周壁Ｓは、後壁周縁部１ｂの前側で高さの中程から下側の底部を含む下周壁１ｃと、後壁周縁部１ｂの前側で高さの中程から上側で厚さ方向の半分の上後周壁１ｄと、上後周壁１ｄより前側の上前周壁１ｅを有し、バック１は直方体状に形成されている。
バック１の上後周壁１ｄと上前周壁１ｅには開口Ａが形成されてチャック３が取り付けられている。
更に上後周壁１ｄの上側と両側とチャック３を覆うようにカバ−４が後壁周縁部１ｂの前側に取り付けられている。
カバ−４は柔軟性を有するナイロン、ポリ塩化ビニ−ル、エチレン酢酸ビニ−ル等の合成樹脂のシ−トや織布で上面部４ａと左右側壁部４ｂ、４ｃとで形成され、後壁周縁部１ｂに取り付ける取付端部側ａの横の長さより、自由端部側ｂの横の長さが長く、全体形状は湾曲形状に形成されている。
バック１の厚さ方向のカバ−４の長さはチャック３が覆われる長さに形成されている。
全体形状が湾曲形状に形成されたカバ−４がバック１の後壁周縁部１ｂに取り付けられると、カバ−４は取付端部側ａから自由端部側ｂになるにつれて周壁Ｓから離れて配され、チャック３との間に間隙が形成される。
特に、バック１の上後周壁１ｄの前側およびチャック３の両角部Ｂ、Ｂでカバ−４の両角部Ｃ、Ｃが浮き上がって外側に膨らむ膨出部４ｄ、４ｅが形成されて離間することになる。
【実施例１】
【０００８】
以下、図示の実施例によって本発明を説明すると、図１から図４は第１実施例で、図１はバックの斜視図、図２はバックの開口位置の縦断面正面図、図３はバックの断面側面図、図４はカバ−の展開図である。
【０００９】
バックをウェストベルトを有するタイプのバックで述べると、バック１は後壁１ａと前壁１ｆと前記後壁１ａと前壁１ｆの間に設けた周壁Ｓを有し、この周壁Ｓは、後壁周縁部１ｂの前側で高さの中程から下側の底部を含む下周壁１ｃと、後壁周縁部１ｂの前側で高さの中程から上側で厚さ方向の半分の上後周壁１ｄと、上後周壁１ｄより前側の上前周壁１ｅを有し、バック１は直方体状に形成されて後壁周縁部１ｂの後側にウェストベルト２が取り付けられている。
バック１とウェストベルト２は柔軟性を有するナイロン、ポリ塩化ビニ−ル、エチレン酢酸ビニ−ル等の合成樹脂のシ−トや織布を溶着や縫着で、つなぎ合わせて形成されている。
バック１の上後周壁１ｄと上前周壁１ｅには開口Ａが形成されてチャック３が取り付けられている。
更に上後周壁１ｄの上側と両側とチャック３を覆うようにカバ−４が後壁周縁部１ｂの前側に取り付けられている。
【００１０】
カバ−４は柔軟性を有するナイロン、ポリ塩化ビニ−ル、エチレン酢酸ビニ−ル等の合成樹脂のシ−トや織布で上面部４ａと左右側壁部４ｂ、４ｃとで形成され、後壁周縁部１ｂに取り付ける取付端部側ａの横の長さ（チャック３の延設方向に沿った長さ）より、自由端部側ｂの横の長さが長く、全体形状は湾曲形状に形成されている。
バック１の厚さ方向のカバ−４の長さはチャック３の歯の前の列を越えて覆われる長さに形成されている。
【００１１】
全体形状が湾曲形状に形成されたカバ−４がバック１の後壁周縁部１ｂに取り付けられると、カバ−４は取付端部側ａから自由端部側ｂになるにつれて周壁Ｓから離れて配され、チャック３との間に間隙が形成される。
特に、バック１の上後周壁１ｄの前側およびチャック３の両角部Ｂ、Ｂでカバ−４の両角部Ｃ、Ｃが浮き上がって外側に膨らむ膨出部４ｄ、４ｅが形成されて離間することになる。
チャック３が開閉の為にスライダ−３ａ、３ａが移動されると、カバ−４の両角部Ｃ、Ｃが浮き上がってチャック３の両角部Ｂ、Ｂから離間されているので、スム−ズにスライダ−３ａ、３ａを移動出来る。
【００１２】
前記のようにバック１が構成されると、カバ−４の両角部Ｃ、Ｃは外側に膨らむ膨出部４ｄ、４ｅとなってチャック３の両角部Ｂ、Ｂから離間されているので、スム−ズにスライダ−３ａ、３ａが両角部Ｂ、Ｂを移動出来る。
【実施例２】
【００１３】
図５から図７は第２実施例で、図５はバックの斜視図、図６はバックの開口位置の縦断面正面図、図７はカバ−の展開図である。
【００１４】
第２実施例のカバ−５は柔軟性を有するナイロン、ポリ塩化ビニ−ル、エチレン酢酸ビニ−ル等の合成樹脂のシ−トや織布で上面部５ａと左右側壁部５ｂ、５ｃとで形成され、上面部５ａと左側壁部５ｂの間と、上面部５ａと右側壁部５ｃの間に切欠き５ｄ、５ｅが設けられて、切欠き５ｄ、５ｅに別体の三角形状の保持部材６、６が取り付けられて保持部材６、６で外側に膨らむ膨出部６ａ、６ｂが形成される。
このカバ−５は周壁Ｓの上後周壁１ｄと上前周壁１ｅの上面側から側面側に変移する部分のチャック３の角部Ｂ、Ｂの上方でカバ−５の角部Ｃ、Ｃが湾曲状に膨出し、チャック３の角部Ｂ、Ｂから他の部分よりも離間されるため、スライダ−３ａ、３ａはスム−ズに移動することが出来る。
他の構成は前記第１実施例と略同一である。
【産業上の利用可能性】
【００１５】
本発明はバックの全般に利用できる。
【図面の簡単な説明】
【００１６】
【図１】第１実施例でバックの斜視図である。
【図２】同バックの開口位置の縦断面正面図である。
【図３】同バックの断面側面図である。
【図４】同カバ−の展開図である。
【図５】第２実施例でバックの斜視図である。
【図６】同バックの開口位置の縦断面正面図である。
【図７】同カバ−の展開図である。
【符号の説明】
【００１７】
Ａ  開口
Ｂ、Ｃ  角部
１  バック
１ｂ  周縁部
４、５  カバ−
４ｄ、４ｅ、６ａ、６ｂ  膨出部
５ｄ、５ｅ  切欠き
６  保持部材
【図１】
2008245957.tif 000003
【図２】
2008245957.tif 000004
【図３】
2008245957.tif 000005
【図４】
2008245957.tif 000006
【図５】
2008245957.tif 000007
【図６】
2008245957.tif 000008
【図７】
2008245957.tif 000009